(57)【要約】【課題】  遠隔地と会議などを行う場合でも、ネットワークを常時使用することなく、初めの文書が早く表示されると共に、送信された文書ファイルを再利用し易い表示システムを提供する。【解決手段】  スライドデータに基づくスライド画像を表示部１４と表示部２４に表示可能な表示システムにおいて、表示部１４で表示するスライド画像を表示部２４で表示するためストリーミング配信を受ける画像情報受信部２５と、ストリーミング配信に基づいてスライド画像を表示部２４に表示する表示制御部２３と、ストリーミング配信中にスライドデータを受信する送受信部２６とを有し、表示制御部２３は、スライドデータの受信後、ストリーミング配信に基づくスライド画像の表示を中止し、受信したスライドデータに基づいてスライド画像を表示部２４に表示する。【選択図】          図２
2008003427.tif 000002
【特許請求の範囲】
【請求項１】
文書データに基づく文書画像を第１の表示装置と第２の表示装置に表示可能な表示システムにおいて、
前記第１の表示装置で表示する前記文書画像を前記第２の表示装置で表示するためストリーミング配信を受ける受付手段と、
前記ストリーミング配信に基づいて前記文書画像を前記第２の表示装置に表示する表示制御手段と、
前記ストリーミング配信中に前記文書データを受信する受信手段とを有し、
前記表示制御手段は、前記文書データの受信後、前記ストリーミング配信に基づく前記文書画像の表示を中止し、前記受信した文書データに基づいて前記文書画像を前記第２の表示装置に表示することを特徴とする表示システム。
【請求項２】
前記受付手段は、前記文書が複数のページを含む場合、前記文書のページ毎に前記文書画像のストリーミング配信を受け付け、
前記受信手段は、前記ストリーミング配信中に前記ストリーミング配信に対応する文書データを受信する請求項１に記載の表示システム。
【請求項３】
前記第１の表示装置で表示する前記文書画像を前記第２の表示装置で表示するためストリーミング配信を行う配信手段をさらに有する請求項１又は請求項２に記載の表示システム。
【請求項４】
前記配信手段は、利用するネットワークの状態に応じて前記ストリーミング配信を開始することを特徴とする請求項３に記載の表示システム。
【請求項５】
前記利用するネットワークの実行速度と前記文書データのサイズに基づいて前記文書データを送信するのに必要な時間を計算する計算手段をさらに有し、
前記配信手段は、前記計算された必要な時間に応じて前記ストリーミング配信を開始することを特徴とする請求項４に記載の表示システム。
【請求項６】
前記配信手段は、前記計算された必要な時間に応じて前記ストリーミング配信を中止し、前記文書データを送信することを特徴とする請求項５に記載の表示システム。
【請求項７】
前記受信手段で受信した所定のページ毎の文書データを統合して、所定の記憶装置に格納する格納手段をさらに有する請求項２に記載の表示システム。
【請求項８】
文書データに基づく文書画像を第１の表示装置と第２の表示装置に表示可能な画像表示方法において、
前記第１の表示装置で表示する前記文書画像を前記第２の表示装置で表示するためストリーミング配信を受ける受付ステップと、
前記ストリーミング配信に基づいて前記文書画像を前記第２の表示装置に表示する第１表示ステップと、
前記ストリーミング配信中に前記文書データを受信する受信ステップと、
前記文書データの受信後、前記ストリーミング配信に基づく前記文書画像の表示を中止し、前記受信した文書データに基づいて前記文書画像を前記第２の表示装置に表示する第２表示ステップとを有する画像表示方法。
【請求項９】
前記受付ステップは、前記文書が複数のページを含む場合、前記文書のページ毎に前記文書画像のストリーミング配信を受け付け、
前記受信ステップは、前記ストリーミング配信中に前記ストリーミング配信に対応する文書データを受信する請求項８に記載の画像表示方法。
【請求項１０】
前記受信手段で受信した所定のページ毎の文書データを統合して、所定の記憶装置に格納する格納ステップをさらに有する請求項９に記載の画像表示方法。
【発明の詳細な説明】
【技術分野】
【０００１】
本発明は、表示システムおよび画像表示方法に関する。
【背景技術】
【０００２】
従来、遠隔会議システムでは、遠隔地の聴衆に対して、発表を行う際、文書を遠隔地間で共有することが必要となる。遠隔地で同一のスライドを用いて遠隔会議を行う場合、使用する文書を遠隔地に対して転送することにより、遠隔地間で同じスライドを用いて説明を行うことができる。
【０００３】
また、文書ファイルを全部遠隔地に送るのではなく、分割して遠隔地に転送することにより遠隔地で文書ファイルが表示されるまでの時間を短縮するようにした技術が提案されている（特許文献１参照）。さらに、文書画像をストリーミングにより配信することによりはじめの文書が表示されるまでの時間を短縮する技術も提案されている（特許文献２参照）。
【特許文献１】特開平１０―１４３４０３号公報
【特許文献２】特開平５―２７４２３６号公報
【発明の開示】
【発明が解決しようとする課題】
【０００４】
通常の発表では、例えばスライドの説明とスライドの切替を繰り返しながら発表が行われる。したがって、第１の拠点においてスライドを説明している時間があり、通常、スライドの切り替えを行っている時間よりもスライドを説明している時間の方が長い。また、遠隔会議などで文書であるスライドを遠隔地と共有する場合、その際、遠隔地に対して、速度の面で発表者が望むタイミングで指示されたスライドが表示され、画質の面でスライドが拠点と同等の品質で提示でき、発表のあとスライドを再利用できることが必要となる。通常、遠隔会議では、第１の遠隔地と第２の遠隔地のそれぞれの表示装置にスライドを表示し、第１の遠隔地から説明者がスライドの切替を指示する場合、まず、第１の遠隔地のコンピュータから第２の遠隔地のコンピュータにスライドデータを送り、その後、スライドの切替指示のコマンドを第１の遠隔地のコンピュータから第２の遠隔地のコンピュータに送って、第２の遠隔地の拠点のスライドを切り替えることが必要となる。
【０００５】
しかしながら、第１の拠点のコンピュータから第２の拠点のコンピュータに対して使用する全ての文書ファイルを先に転送する場合、その文書ファイルの再利用しやすいことや転送後の挙動が軽いなどの利点があるが、遠隔地で文書が初めに表示されるまでに時間がかかるという問題がある。例えば、図１は従来の問題点を説明するための図であり、同図（ａ）は第１の拠点におけるスライドの切替タイミングを説明するための図である。第１の拠点では、まずスライド１を第１の拠点の表示装置に表示し、スライド１の説明が終わった後、スライド１からスライド２に切り替えてスライド２の説明を行う。同図（ｂ）は第１の拠点から第２の拠点に対して全ての文書ファイルを同時に送信したときのスライドの切替タイミングを説明するための図である。同図（ｂ）に示すように、第１の拠点から第２の拠点に全ての文書ファイルが送信された時間をＴ１とすると、第２の拠点のコンピュータはその文書ファイルと第１の拠点から送られてくるコマンドに基づいてスライドを表示装置に表示する。このとき、第１の拠点では、すでにスライド１の切替が行われているのに対して、第２の拠点では、時刻ｔ１でスライドの切替が行われることになる。このため、遠隔地間でスライド画像の共有ができず、会議が円滑に進めることができないという問題がある。
【０００６】
また、特許文献１のように、文書ファイルを分割して必要な文書データだけを先に送信する場合、全ての文書データを遠隔地に同時に送る場合よりも、送るデータ量が少ないため遠隔地で文書が表示されるまでの時間が早いという利点があるが、文書ファイルが分割されて遠隔地に送られるため遠隔地で受信した文書を再利用しにくいという欠点がある。例えば、図１（ｃ）に示すように、第１の拠点から第２の拠点に第１の分割文書ファイルが送信された時間をＴ２とすると、第２の拠点のコンピュータはその文書ファイルと第１の拠点から送られてくるコマンドに基づいてスライドを表示装置に表示する。このとき、第１の拠点では、すでにスライド１の切替が行われており、第２の拠点では、時刻ｔ２１でスライドの切替が行われることになる。１ページ目の文書が表示されるまでの時間ｔ２１は、図１（ｂ）で示した全部のファイルを転送する場合に比べて早いが、文書ファイルが分割されているため遠隔地で再利用しにくいという問題が生ずる。また、文書ファイルを全部転送する場合よりも最初のページが表示されるまでの時間が早いといっても、文書ファイルを送信する側ではすぐに表示されているスライドが第２の拠点では時刻ｔ２１に表示されるため、遠隔地間で同時に文書を表示できるとは言えない。
【０００７】
また、特許文献２に記載のように、遠隔地間でストリーミングによって文書を共有する場合、画像が表示され始めるまでの時間が早いという利点がある。図１（ｄ）に示すように、第２の拠点では、時刻ｔ３１でスライドの切替が行われることになる。このため、第１の拠点と第２の拠点ではほぼ同時に表示することが可能となる。ストリーミングを用いることにより、解像度を下げることで転送量が調整できるという利点があるが、プレゼンテーションの間、ネットワークを常時使用してしまう。また、ストリーミングによる転送の場合、通常、ストリーミングを受ける側で文書データを再利用できないことや画質が悪いという欠点がある。また、発表時間が短い場合にストリーミングは転送量が少ないため有効であるが、文書ファイルのサイズが小さい場合、文書ファイル自体を送ってしまった方が効率の良い場合もある。
【０００８】
そこで、本発明は、上記問題点に鑑みてなされたもので、遠隔地と会議などを行う場合、ネットワークを常時使用することなく、初めの文書が早く表示されると共に、送信された文書ファイルを再利用し易い表示システム及び画像表示方法を提供することを目的とする。
【課題を解決するための手段】
【０００９】
上記課題を解決するために、本発明は、文書データに基づく文書画像を第１の表示装置と第２の表示装置に表示可能な表示システムにおいて、前記第１の表示装置で表示する前記文書画像を前記第２の表示装置で表示するためストリーミング配信を受ける受付手段と、前記ストリーミング配信に基づいて前記文書画像を前記第２の表示装置に表示する表示制御手段と、前記ストリーミング配信中に前記文書データを受信する受信手段とを有し、前記表示制御手段は、前記文書データの受信後、前記ストリーミング配信に基づく前記文書画像の表示を中止し、前記受信した文書データに基づいて前記文書画像を前記第２の表示装置に表示することを特徴とする。
【００１０】
これにより、画像データをネットワーク経由でダウンロードしながら順次再生するため、ファイルサイズが大きい画像データでもダウンロード時間を無駄に待つことなく再生できる。よって、初めの文書を早く表示できる。また、バックグランドで文書データを送信し、文書データを受信後は、ストリーミング配信による文書画像の表示を中止し、受信した文書データにより文書画像を表示する。受信した文書データを保存しておくことにより文書ファイルの再利用が可能となる。さらに、文書データを間引いて転送する必要がないため、文書画像を転送する拠点と同じ画質により遠隔地において文書画像を表示できる。なお、文書画像には、文書のみならず図形や表を含む画像も含まれる。また文書データは、ワードやパワーポイントなどのアプリケーションで作成されたデータが含まれる。
【００１１】
また、前記受付手段は、前記文書が複数のページを含む場合、前記文書のページ毎に前記文書画像のストリーミング配信を受け付け、前記受信手段は、前記ストリーミング配信中に前記ストリーミング配信に対応する文書データを受信する。これにより、ページ転送が終わればそれを使用して表示し、その間に他のページを転送しておくことで、高速な表示を実現できる。
【００１２】
また、本発明の表示システムは、前記第１の表示装置で表示する前記文書画像を前記第２の表示装置で表示するためストリーミング配信を行う配信手段をさらに有する。前記配信手段は、利用するネットワークの状態に応じて前記ストリーミング配信を開始する。前記利用するネットワークの実行速度と前記文書データのサイズに基づいて前記文書データを送信するのに必要な時間を計算する計算手段をさらに有し、前記配信手段は、前記計算された必要な時間に応じて前記ストリーミング配信を開始する。前記配信手段は、前記計算された必要な時間に応じて前記ストリーミング配信を中止し、前記文書データを送信する。また、本発明の表示システムは、前記受信手段で受信した所定のページ毎の文書データを統合して、所定の記憶装置に格納する格納手段をさらに有する。これにより、分割した文書画像データを統合することにより文書画像データを後で再利用することができる。
【００１３】
本発明は、文書データに基づく文書画像を第１の表示装置と第２の表示装置に表示可能な画像表示方法において、前記第１の表示装置で表示する前記文書画像を前記第２の表示装置で表示するためストリーミング配信を受ける受付ステップと、前記ストリーミング配信に基づいて前記文書画像を前記第２の表示装置に表示する第１表示ステップと、前記ストリーミング配信中に前記文書データを受信する受信ステップと、前記文書データの受信後、前記ストリーミング配信に基づく前記文書画像の表示を中止し、前記受信した文書データに基づいて前記文書画像を前記第２の表示装置に表示する第２表示ステップとを有する。
【００１４】
これにより、画像データをネットワーク経由でダウンロードしながら順次再生するため、ファイルサイズが大きい画像データでもダウンロード時間を無駄に待つことなく再生できる。よって、初めの文書を早く表示できる。また、バックグランドで文書データを送信し、文書データを受信後は、ストリーミング配信による文書画像の表示を中止し、受信した文書データにより文書画像を表示する。受信した文書データを保存しておくことにより文書ファイルの再利用が可能となる。さらに、文書データを間引いて転送する必要がないため、文書画像を転送する拠点と同じ画質により遠隔地において文書画像を表示できる。
【００１５】
前記受付ステップは、前記文書が複数のページを含む場合、前記文書のページ毎に前記文書画像のストリーミング配信を受け付け、前記受信ステップは、前記ストリーミング配信中に前記ストリーミング配信に対応する文書データを受信する。これにより、ページ転送が終わればそれを使用して表示し、その間に他のページを転送しておくことで、高速な表示を実現できる。本発明の画像表示方法は、前記受信手段で受信した所定のページ毎の文書データを統合して、所定の記憶装置に格納する格納ステップをさらに有する。これにより、分割した文書画像データを統合することにより文書画像データを後で再利用することができる。
【発明の効果】
【００１６】
本発明によれば、遠隔地と会議などを行う場合、ネットワークを常時使用することなく、初めの文書が早く表示されると共に、送信された文書ファイルを再利用し易い表示システム及び画像表示方法を提供できる。
【発明を実施するための最良の形態】
【００１７】
以下、本発明を実施するための最良の形態について説明する。図２は、会議（表示）システムのブロック構成を示す図である。図２に示すように、会議システム１は、拠点Ａに設置された送信側装置１０及び拠点Ｂに設置された受信側装置２０を備える。この会議システム１は、スライド（文書）データに基づく文書画像を拠点Ａに設置された表示部１４と拠点Ｂに設置された表示部２４にほぼ同時に表示できるようにするものである。送信側装置１０及び受信側装置２０はインターネット等のネットワーク３０を介して相互にデータの送受信を行うことができる。なお、図１では、一対の送信側装置１０及び受信側装置２０が示されているが、複数の送信側装置及び受信側装置をネットワーク上に接続することによりそれぞれデータの送受信を行うよう構成してもよい。
【００１８】
送信側装置１０は、拠点Ａに設置されるものである。この送信側装置１０は、入力部１１、記憶部１２、表示制御部１３、表示部１４、画像情報生成部１５、文書分割部１６、画像情報配信部１７、送受信部１８及び制御部１９を備える。入力部１１は、例えばメモリのインターフェースにより構成され、発表者が発表するスライドデータの入力を受け付ける。記憶部１２は、例えばハードディスク装置により構成され、入力部１１で受け付けたスライドデータなどを記憶する。表示制御部１３は、例えば画像処理用のプロセッサにより構成され、記憶部１２に記憶されたスライドデータに基づいて表示部１４に対する画像データを生成し、スライド画像を表示部１４に表示する。表示部１４は、例えば液晶ディスプレイ装置により構成される。
【００１９】
画像情報生成部１５は、スライドデータのうちの一部のストリーミング用のデータを作成する。文書分割部１６は、スライドデータを所定のページ単位で分割し、分割スライドデータを生成する。画像情報配信部１７は、画像情報生成部１５が生成したストリーミング用のデータを配信する。画像情報配信部１７は、表示部１４で表示する文書画像を表示部２４で表示するためストリーミング配信を行うものである。送受信部１８は、ネットワーク３０を介したデータの送受信を行うものであり、文書分割部１６で分割されたスライドデータをネットワーク３０を介して受信側装置２０へ送信する。制御部１９は、送信側装置１０の全体を制御する。
【００２０】
受信側装置２０は、拠点Ｂに設置されるものである。この受信側装置２０は、入力部２１、記憶部２２、表示制御部２３、表示部２４、画像情報受信部２５、送受信部２６、文書統合部２７及び制御部２８を備える。入力部２１は、発表者が発表するスライドデータの入力を受け付ける。記憶部２２は、例えばハードディスク装置により構成され、入力部１１で受け付けたスライドデータ、送受信部２６で受信した受信データを記憶する。
【００２１】
画像情報受信部２５は、表示部１４で表示する文書画像を表示部２４で表示するためストリーミング配信を受ける。画像情報受信部２５は、スライドが複数のページを含む場合、スライドのページ毎にスライド画像のストリーミング配信を受け付ける。表示部２４は、例えば液晶ディスプレイ装置により構成される。表示制御部２３は、例えば画像処理用のプロセッサにより構成され、ストリーミングデータに基づいてスライド画像を表示部２４に表示する。送受信部２６は、ストリーミング配信中にストリーミング配信に対応するスライドデータを受信する。文書統合部２７は、送信側装置１０で受信した分割されたスライドデータを統合し、元のスライドデータを生成する。文書統合部２７は、受信した所定のページ毎のスライドデータを統合して、記憶部２２に格納する。制御部２８は、受信側装置２０の全体を制御するものである。表示制御部２３は、スライドデータの受信後は、ストリーミング配信に基づくスライド画像の表示処理を中止し、受信したスライドデータに基づいてスライド画像を表示部２４に表示する。
【００２２】
図３は、文書ファイルの形式を説明するための図である。同図（ａ）は構造化された文書がストリーミングにより配信された場合の画像を示す図、同図（ｂ）は構造化された文書の集合を示す図である。図４は、スライドデータの配信状態を説明するための図である。図５は、会議システムの動作フローチャートである。会議システム１は、スライドデータに基づくスライド画像を拠点Ａに設置された表示部１４と拠点Ｂに設置された表示部２４に表示するため以下のように動作する。
【００２３】
発表者は、自分のパーソナルコンピュータで作成したスライドデータを予め携帯型メモリに格納しておく。発表者が保持する携帯型メモリを入力部１１に差し込むと、入力部１１は携帯型メモリからスライドデータの入力を受け付ける（ステップＳ１１）。入力部１１で受け付けたスライドデータは、記憶部１２に格納される。発表者が拠点Ａと拠点Ｂのスライド表示を指示すると（ステップＳ１２）、表示制御部１３は、記憶部１２に記憶されたスライドデータに基づいて表示部１４に対する画像データを生成し、スライド画像を表示部１４に表示する（ステップＳ１３）。
【００２４】
計算手段としての制御部１９は、プレゼンテーションを開始する際に利用するネットワークの状態、実効速度を計測する。このとき、制御部１９は、例えばPing（Packet INternet Groper）などの技術を用いて、接続されているかどうか調べたいコンピュータのＩＰアドレスを指定し、ＩＣＭＰ（Internet Control Message Protocol）を使って通常３２バイト程度のデータを送信し、相手のコンピュータから返信があるかどうか、返信がある場合はどのくらい時間がかかっているか、などのデータを元にネットワーク３０を診断する。そして、制御部１９は、測定されたネットワークの実効速度とスライドデータのサイズから文書を送信するのに必要な時間を計算する。制御部１９は、上記で計算した必要な時間があらかじめ設定された時間以下（例えば２秒）の場合、ネットワーク３０を介してそのまま文書データであるスライドデータを送信するよう各部を指示する。これによって、拠点Ｂではスライドデータを使ってそのままスライドを表示することができる。
【００２５】
一方、制御部１９は、計算した必要な時間があらかじめ設定された時間以上の場合、ストリーミング配信を開始するよう各部を指示する。その際、制御部１９は、ストリーミング配信のビットレートはまず実効速度の半分に設定し、残る半分をスライドデータ転送に割り当てるようにする。しかし、制御部１９は、ビットレートがあらかじめ設定された値（たとえば６４ｋｂｐｓ）を下回る場合、スライドデータ転送に割り当てた分を減らして調節する。
【００２６】
画像情報生成部１５は、ストリーミングで文書を先に表示するため、表示制御部１３の動作と並行して、スライドデータのうちの初めのページのストリーミング用のデータを生成する（ステップＳ１４）。画像情報配信部１７は、画像情報生成部１５が生成したストリーミング用のデータをネットワーク３０を介して配信する（ステップＳ１５、図４のＡ１）。文書分割部１６は、バックグラウンドでスライド中のページを転送するため、画像情報生成部１５の動作と並行してスライドデータを所定のページ単位で分割し、分割スライドデータを生成する（ステップＳ１６）。
【００２７】
送受信部１８は、文書分割部１６で分割されたスライドデータをネットワーク３０を介して受信側装置２０へ送信する（ステップＳ１７、図４のＢ１）。これにより、ストリーミング配信を行っているバックグラウンドでページを転送できる。また、画像情報生成部１５がスライドデータの２ページ目のストリーミング用のデータを配信しているときに（図４のＡ２）、送受信部１８は、文書分割部１６で分割されたスライドデータのうち２ページ目の部分のスライドデータを送信する（図４のＢ２）。
【００２８】
受信側装置２０の画像情報受信部２５は、スライドのページ毎にスライド画像のストリーミング配信を受け付ける（ステップＳ２１）。表示制御部２３は、ストリーミングデータに基づいてスライド画像を表示部２４に表示する処理を行う（ステップＳ２２）。このストリーミング配信によって表示部２４にスライド１を時刻ｔ４１で表示できる。これにより拠点Ｂでは拠点Ａとほぼ同じ時間にスライドを表示することができる。送受信部２６がストリーミング配信中にストリーミング配信に対応するスライドデータを受信した後（ステップＳ２３で「Ｙ」）、表示制御部２３は、そのスライドデータを使用して表示を行うため、ストリーミングデータに基づくスライド画像の表示を中止し、受信したスライドデータに基づいてスライド画像を表示部２４に表示する処理を行う（ステップＳ２４）。
【００２９】
そして、送信側装置１０の送受信部１８は、全てのページ転送が終了していない場合（ステップＳ１８で「Ｎ」）、他のページを転送する（ステップＳ１９）。また、文書統合部２７は、受信したページ毎の分割スライドデータを統合して元の文書データを生成し、記憶部２２に格納する（ステップＳ２５）。これにより拠点Ｂで会議に参加する参加者はスライドデータの再利用が可能となる。なお、ここでは、文書分割部１６が１ページ毎に分割するようにしているがこれには限定されない。また、全てのページ転送が終了していない場合は、図４のＣ１及びＣ２の期間を利用して他のページを転送してもよい。なお、制御部１９は、実効速度があらかじめ設定された値を下回る場合、エラーを表示させ、画面共有は行わない。
【００３０】
上記会議システムによれば、スライドデータに基づくスライド画像を拠点Ａに設置された表示部１４と拠点Ｂに設置された表示部２４にほぼ同時に表示できる。これにより、遠隔地間の会議を円滑に進行させることができる。また、遠隔地と会議などを行う場合でも、ネットワークを常時使用することなく、初めのスライドが早く表示でき、送信された文書ファイルを再利用し易い。使用するネットワークの状態や提示する文書から、最適なものを選び組み合わせることで、速度、画質、再利用の３つを満たす会議システムを実現できる。
【００３１】
なお、本発明による画像表示方法は、会議システム１により実現される。図６は送信側装置１０及び受信側装置２０のハードウエア構成図である。送信側装置１０及び受信側装置２０は、それぞれ図６に示すように、例えば、ＣＰＵ（Central Processing Unit）６１、ＲＯＭ(Read Only Memory)６２、ＲＡＭ(Random Access Memory)６３、ハードディスク装置（ＨＤ）６４等を用いて構成されている。ＣＰＵ６１が所定のプログラムを実行することにより送信側装置１０及び受信側装置２０の各機能が実現される。
【００３２】
以上本発明の好ましい実施例について詳述したが、本発明は係る特定の実施例に限定されるものではなく、特許請求の範囲に記載された本発明の要旨の範囲内において、種々の変形、変更が可能である。なお、上記実施例ではストリーミング配信と文書データの送信を同一ネットワークを用いて行う例について説明したがこれらを別々のネットワークを用いて送信するようにしてもよい。
【図面の簡単な説明】
【００３３】
【図１】従来の問題点を説明するための図である。
【図２】表示システムのブロック構成を示す図である。
【図３】文書ファイルの形式を説明するための図である。
【図４】文書データの配信状態を説明するための図である。
【図５】表示システムの動作フローチャートである。
【図６】送信側装置及び受信側装置のハードウエア構成図である。
【符号の説明】
【００３４】
１  会議システム              ２０  受信側装置
１０  送信側装置              ２１  入力部
１１  入力部                  ２２  記憶部
１２  記憶部                  ２３  表示制御部
１３  表示制御部              ２４  表示部
１４  表示部                  ２５  画像情報受信部
１５  画像情報生成部          ２６  送受信部
１６  文書分割部              ２７  文書統合部
１７  画像情報配信部          ２８制御部
１８  送受信部                
１９  制御部                  
【図１】
2008003427.tif 000003
【図２】
2008003427.tif 000004
【図３】
2008003427.tif 000005
【図４】
2008003427.tif 000006
【図５】
2008003427.tif 000007
【図６】
2008003427.tif 000008